(57)【要約】【課題】犬の糞を路面等から拾い上げる際に腰を折るような姿勢を取らずに、身体を立てた楽な姿勢でそれを行うことが可能であり、それ以外の時点ではコンパクトであること。【解決手段】大径支持管１ａ及びこれに最大引出状態で仮固定可能に内装した小径支持管１ｂからなる伸縮支持管１と、その中に配した大径操作管２ａ及びこれに最大引出状態で仮固定可能に内装した小径操作管２ｂからなる伸縮操作管２と、小径支持管１ｂの下部に介在片３を介して配した支持フレーム４、４と、開閉する糞取り用の二つの支分容器５、５と、伸縮操作管２の後退動作によって支分容器５、５を閉じ、進出動作によって開く開閉操作手段６と、支分容器５、５を閉じる伸縮操作管２の最後退状態をロックするロック手段７と、伸縮操作管２の大径操作管２ａの上端にこれに直交する向きに配した操作用グリップ部８と、大径支持管１ａの上端に固設した操作枠部９とで構成した。【選択図】  図１
2014073085.tif 000002
【特許請求の範囲】
【請求項１】
大径支持管及びこれに途中まで引出可能かつ最大引出状態及び最大後退状態で仮固定できるように内装した小径支持管からなる伸縮支持管と、
前記伸縮支持管中に配した大径操作管及びこれに途中まで引出可能かつ最大引出状態で仮固定できるように内装した小径操作管からなる伸縮操作管と、
前記伸縮支持管の小径支持管の下部外周の対向する部位に介在片を介して配した相互に平行な二枚の支持フレームと、
相互の開口部が離接することで開閉する糞取り用の二つの支分容器であって、各々その内部に該内部を被覆すべく配し、開口部で外側に折り返した袋部材の開口縁を該開口部の近傍の外周部で保持する袋縁保持手段を備えた二つの支分容器と、
前記二つの支分容器を開閉操作する、前記二枚の支持フレームに配した開閉操作手段であって、前記伸縮操作管の後退動作によって該二つの支分容器を閉じ、進出動作によって開く開閉操作手段と、
前記二つの支分容器を閉じる前記伸縮操作管の最後退状態をロックするロック手段であって、必要に応じてロック解除可能なロック手段と、
前記伸縮操作管の大径操作管の上端にこれを手動により進退操作すべくこれに直交する向きに配した操作用グリップ部と、
前記伸縮支持管の大径支持管の上端に固設した操作枠部であって、前記操作用グリップ部の進退動作範囲の両側部及び後部を囲むように配した操作枠部と、
で構成した犬の糞取り具。
【請求項２】
前記大径支持管の少なくとも先端近傍の内径を先端に向かって小径になる縮小テーパ状に構成し、前記小径支持管の少なくとも後端近傍の外径を後端に向かって大径になる拡大テーパ状に構成し、該大径支持管に内装した該小径支持管を前方に引き出した場合に、前者の先端の縮小テーパ状の部分に後者の後端の拡大テーパ状の部分が係止して仮固定状態になるように構成し、
かつ前記大径操作管の少なくとも先端近傍の内径を先端に向かって小径になる縮小テーパ状に構成し、前記小径操作管の少なくとも後端近傍の外径を後端に向かって大径になる拡大テーパ状に構成し、該大径操作管に内装した該小径操作管を前方に引き出した場合に、前者の先端の縮小テーパ状の部分に後者の後端の拡大テーパ状の部分が係止して仮固定状態になるように構成した請求項１の犬の糞取り具。
【請求項３】
前記開閉操作手段を、
二つの支分容器の周側の上部側の一部から各々その軸心と直交する方向に延び、途中の屈曲部で内側に屈曲延長した「く」の字形状の作動腕片と、
前記二つの作動腕片の上端を前記伸縮操作管の小径操作管の下端に相互に対向する位置関係で回動自在にピン結合する先端ピン部材と、
前記二つの作動腕片の各屈曲部に固設した中間ピン部材であって、各々前記二枚の支持フレームに前記伸縮操作管の伸縮方向に直交する向きに形成した長孔にスライド移動自在に挿入係止してなる二つの中間ピン部材と、
前記小径操作管の前記先端ピン部材を結合した部位の直上に配した鍔体及び前記小径支持管の下端との間に該小径操作管を下降動作させるべく挿入した圧縮コイルバネと、
で構成した請求項１又は２の犬の糞取り具。
【請求項４】
前記ロック手段を、
前記伸縮支持管の小径支持管の一部にこれと直交する向きに固設した保護筒体と、
前記保護筒体の外端に配した中央に軸孔を開口した蓋体と、
前記蓋体の軸孔から前記保護筒体内に挿入したロック用軸体であって、その内端を前記小径支持管の対応する部位に開口した内部軸孔を通じてその内部に挿入し、前記伸縮操作管の最後退状態でその小径操作管の周側に開口したロック孔に挿入状態となるロック用軸体と、
前記ロック用軸体の途中に固設した鍔体及び前記蓋体との間に挿入する圧縮コイルバネであって、該ロック用軸体の内端が前記伸縮操作管の最後退状態でその小径操作管の周側のロック孔に挿入状態となるように付勢する圧縮コイルバネと、
前記ロック用軸体の外端に固設した操作用円板と、
で構成した請求項１、２又は３の犬の糞取り具。
【発明の詳細な説明】
【技術分野】
【０００１】
本発明は、犬の糞取り具、特に散歩の途中等で犬が糞をした場合に、その糞を路面等から拾い上げて衛生的に保持し、帰宅後に処理することができる犬の糞取り具に関する。
【背景技術】
【０００２】
このような犬の糞取り具には多くの提案例がある。
例えば、特許文献１は犬の糞取り道具に関し、これは、棒状の握り部と、該握り部の先端に構成したリング状部と、該リング状部の内側に配した容器状網部と、前記握り部に配した、該容器状網部内外を被覆する袋を一時保持するためのクリップとで構成したものである。
【０００３】
従ってこの特許文献１の糞取り道具では、リング状部を含めて容器状網部に袋を被せ、該袋の口部側を握り部に配したクリップで挟んで保持した上で、犬の散歩を開始する。散歩中に、犬が糞をし始めた場合には、この糞取り道具の袋を被せた容器状網部を、該犬の尻の下に差し出せば、その該容器状網部に被せた袋の上で、該犬の糞を受け取ることができる。犬が糞をし終わった後、袋の口部をクリップから外し、その表裏を反転させながら糞をその内側に入れることにすれば、この糞取り道具のリング状部及び容器状網部を含めていずれの部位も糞で汚すようなことなく、また手を汚すこともなく、糞を表裏反転した袋の中に入れてしまうことができる。帰宅後にこれを適切に処理することができる。
【０００４】
しかし特許文献１の糞取り道具は、その握り部が十分な長さを持つものでも、伸縮可能なものでもなく、その携帯の都合上、実際には、その握り部はかなり短いものとせざるを得ない。それ故、糞をしようとする犬の尻の下にその容器状網部を差し出す際には、腰を落としてそのような操作をするしかない。従ってこれを使用する者は腰を痛める虞があると云わざるを得ない。
【０００５】
特許文献２は犬の糞取り具に関し、これは、底板と、該底板に蝶番部を介して開閉可能に連結した蓋体と、該蓋体を開いた状態で底板及び蓋体上に粘着面を上にして載置する片面粘着シートと、先端を該蓋体に回動可能に連結した操作棒とを有し、該操作棒の操作により蓋体を開閉可能としたものである。
【０００６】
特許文献２の犬の糞取り具によれば、特許文献１の糞取り道具と同様に、糞をしようとしている犬の尻の下にこれを差し出して糞を受け取る構成のものである。特許文献２の糞取り具の場合は、蓋体を開いて、底板を犬の尻の下に差し出し、該底板に配した片面粘着シート上で糞を受け取るものであり、その具体的な構成が特許文献１のそれとは若干異なる。この特許文献２の犬の糞取り具の場合は、底板上の片面粘着シート上に載った糞は、蓋体を閉じると、自ずと該蓋体上の片面粘着シートによりその上部が被覆される状態となり、全体として片面粘着シートで包まれた状態となる。
【０００７】
帰宅後に、該片面粘着シートをそのまま外して処理すれば、糞の処理を完了させることができる。底板も蓋体も糞で汚すことなく、また手を汚すこともなく、糞を受け取り、かつその後の処理を行うことができる。しかし、特許文献２の糞取り具も特許文献１の糞取り道具と同様に、犬の尻の下に差し出し、または置いて使用するものであり、いずれにしても尻の下に差し出す際にはかなり低い姿勢になる必要がある。使用者が腰を痛める虞のあるものである。
【０００８】
特許文献３は犬の糞取り器に関し、これは、両者で楕円弧状をなす、半楕円弧状の固定捕集フレームと同様の可動捕集フレームと、これらを重ね合わせ自在に支持する把手部と、両捕集フレームに付設した袋保持手段と、で構成し、開口部縁に環状の係止部及び舌片状の係止部を備えた袋を、一対で楕円弧をなす捕集フレーム内に入れ、その開口部縁の環状の係止部及び舌片状の係止部を袋保持手段で保持して使用するようにしたものである。
【０００９】
特許文献３の犬の糞取り器によれば、犬が糞をする際に、その尻の下に前記袋を保持した該捕集フレームを差し出し、その袋で糞を受け取るものであり、糞を受け取った後は、該捕集フレームのうち、可動捕集フレームを回転させて固定捕集フレームと重ね合わせた状態にして持ち帰ることができる。帰宅後は、袋を取り外して袋ごと糞の処理をすることができる。
【００１０】
特許文献３の犬の糞取り器は、以上のように、糞を受け取るために、犬の尻の下に差し出すものであるから、特許文献１及び２と同様に、使用時には姿勢を低くする必要があり、腰を痛める虞がある。また袋を、開口部縁から延長した環状の係止部及び舌片状の係止部で捕集フレームに取り付けるものであるため、捕集フレームの全体が袋でカバーされることがない。犬は、糞をする際に、じっとしているとは限らず、尻は前後左右に動く可能性がある。そのため、尻から落ちてくる糞が捕集フレームに接触する可能性があり、これによって該捕集フレームを糞で汚してしまう虞がある。
【００１１】
特許文献４は携帯用糞取り器に関し、これは、基部側で開閉自在に結合した容器状の下挟み片及び蓋状の上挟み片と、これらの基部に配した袋保持手段であって、容器状の下挟み片の中に配し、該下挟み片及び上挟み片側にその口部側を反転させた袋の口部を保持する袋保持手段とを備えたものである。
【００１２】
特許文献４の携帯用糞取り器は、袋を、前記のように、その下挟み片の内部に配置し、その口部を裏返して下挟み片の下側及び上挟み片の上側、更にはそれらの両側部を被覆する状態にした上で、その袋の口部側を上及び下挟み片と共に袋保持手段で保持状態して犬の散歩時に出かけるようにするものである。
【００１３】
犬が糞をした場合には、路面に落ちたそれを、上挟み片及び下挟み片を開いた上で、下挟み片側でその糞を取り、袋で被覆してあるその内部に取り込む。その後は、散歩の終了まで上挟み片及び下挟み片を閉じた状態にして置き、帰宅後は、袋を取り外し、その内部に入った状態の糞をその袋と共に処分する。こうして、糞を直接に手で触れることなく、更に、最初から最後まで、該携帯用糞取り器のいずれの部位も糞で汚すことなく、その使用を終了させることができる。
【００１４】
しかし、この携帯用糞取り器の場合も、これは、糞を犬の尻の下に差し出して受け止めるものではないが、その上及び下挟み片の背後側の基部側を掴むことができるようになっており、その状態で、腰を低くして路面に落ちた糞を拾うものとなっており、やはり腰を痛める虞があるものである。
【００１５】
特許文献５はペット用糞取り器に関し、これは、二つを一組にした碗部材を向かい合わせにしてワニ口状に開閉可能なようにピン結合し、更に両碗部材の開口寸法に大小の差を設けると共に、大口の碗部材の内周壁を開口側に向かって広がるテーパ面とし、小口の碗部材の開口端面を大口の碗部材の前記テーパ面に当接させるようにしたものである。
【００１６】
特許文献５のペット用糞取り器は、路面等に落下したペットの糞を拾い上げるための手段であり、上下の碗部材を開いた上で、下側の小口の碗部材の先端を路面等の上に落ちている糞の下に滑り込ませ、上側の碗部材を閉じることで、両碗部材の中に糞を取り込み、その状態で持ち帰り、帰宅後に糞の処理を行うものである。それ故、糞を拾い上げる動作は、腰を折った姿勢で行う腰に負担の掛かるものであり、腰を痛める虞がある。また両碗部材に糞が直接接触するものであり、使用の度に洗浄する必要があるものでもある。
【先行技術文献】
【特許文献】
【００１７】
【特許文献１】特開２００９−０７２１７３号公報
【特許文献２】特開２００６−０２５６９４号公報
【特許文献３】特開２００３−１０２３１１号公報
【特許文献４】特開平１０−１０８５７３号公報
【特許文献５】特開２００１−０７８６０９号公報
【発明の概要】
【発明が解決しようとする課題】
【００１８】
本発明は、特に散歩の途中等でした飼い犬の糞を路面等から拾い上げる際に、腰を折るような姿勢を取らずに、身体を立てた楽な姿勢で、それを行うことが可能であり、他方、それ以外の時点では、コンパクトな形態を保持することができると共に、拾い上げた犬の糞を衛生的に保持し、帰宅後に容易に処理することができる犬の糞取り具を提供することを解決の課題とする。
【課題を解決するための手段】
【００１９】
本発明の１は、大径支持管及びこれに途中まで引出可能かつ最大引出状態及び最大後退状態で仮固定できるように内装した小径支持管からなる伸縮支持管と、
前記伸縮支持管中に配した大径操作管及びこれに途中まで引出可能かつ最大引出状態で仮固定できるように内装した小径操作管からなる伸縮操作管と、
前記伸縮支持管の小径支持管の下部外周の対向する部位に介在片を介して配した相互に平行な二枚の支持フレームと、
相互の開口部が離接することで開閉する糞取り用の二つの支分容器であって、各々その内部に該内部を被覆すべく配し、開口部で外側に折り返した袋部材の開口縁を該開口部の近傍の外周部で保持する袋縁保持手段を備えた二つの支分容器と、
前記二つの支分容器を開閉操作する、前記二枚の支持フレームに配した開閉操作手段であって、前記伸縮操作管の後退動作によって該二つの支分容器を閉じ、進出動作によって開くように動作する開閉操作手段と、
前記二つの支分容器を閉じる前記伸縮操作管の最後退状態をロックするロック手段であって、必要に応じてロック解除可能なロック手段と、
前記伸縮操作管の大径操作管の上端にこれを手動により進退操作すべくこれに直交する向きに配した操作用グリップ部と、
前記伸縮支持管の大径支持管の上端に固設した操作枠部であって、前記操作用グリップ部の進退動作範囲の両側部及び後部を囲むように配した操作枠部と、
で構成した犬の糞取り具である。
【００２０】
本発明の２は、本発明の１の犬の糞取り具において、
前記大径支持管の少なくとも先端近傍の内径を先端に向かって小径になる縮小テーパ状に構成し、前記小径支持管の少なくとも後端近傍の外径を後端に向かって大径になる拡大テーパ状に構成し、該大径支持管に内装した該小径支持管を前方に引き出した場合に、前者の先端の縮小テーパ状の部分に後者の後端の拡大テーパ状の部分が係止して仮固定状態になるように構成し、
かつ前記大径操作管の少なくとも先端近傍の内径を先端に向かって小径になる縮小テーパ状に構成し、前記小径操作管の少なくとも後端近傍の外径を後端に向かって大径になる拡大テーパ状に構成し、該大径操作管に内装した該小径操作管を前方に引き出した場合に、前者の先端の縮小テーパ状の部分に後者の後端の拡大テーパ状の部分が係止して仮固定状態になるように構成したものである。
【００２１】
本発明の３は、本発明の１又は２の犬の糞取り具において、
前記開閉操作手段を、
二つの支分容器の周側の上部側の一部から各々その軸心と直交する方向に延び、途中の屈曲部で内側に屈曲延長した「く」の字形状の作動腕片と、
前記二つの作動腕片の上端を前記伸縮操作管の小径操作管の下端に相互に対向する位置関係で回動自在にピン結合する上部ピン部材と、
前記二つの作動腕片の各屈曲部に固設した中間ピン部材であって、各々前記二枚の支持フレームに前記伸縮操作管の伸縮方向に直交する向きに形成した二つの長孔の各々にスライド移動自在に挿入係止してなる二つの中間ピン部材と、
前記小径操作管の前記上部ピン部材を結合した部位の直上に配した鍔体及び前記小径支持管の下端との間に該小径操作管を下降動作させるべく挿入した圧縮コイルバネと、
で構成したものである。
【００２２】
本発明の４は、本発明１、２又は３の犬の糞取り具において、
前記ロック手段を、
前記伸縮支持管の小径支持管の一部にこれと直交する向きに固設した保護筒体と、
前記保護筒体の外端に配した中央に軸孔を開口した蓋体と、
前記蓋体の軸孔から前記保護筒体内に挿入したロック用軸体であって、その内端を前記小径支持管の対応する部位に開口した内部軸孔を通じてその内部に挿入し、前記伸縮操作管の最後退状態でその小径操作管の周側に開口したロック孔に挿入状態となるロック用軸体と、
前記ロック用軸体の途中に固設した鍔体及び前記蓋体との間に挿入する圧縮コイルバネであって、該ロック用軸体の内端が前記伸縮操作管の最後退状態でその小径操作管の周側のロック孔に挿入状態となるように付勢する圧縮コイルバネと、
前記ロック用軸体の外端に固設した操作用円板と、
で構成したものである。
【発明の効果】
【００２３】
本発明１の犬の糞取り具によれば、飼い犬との散歩中等に犬が糞をした場合に、路面等に落ちた糞を腰をかがめたりすることなく、立った状態で容易にこれを回収し、これを持ち帰ることができる。
【００２４】
飼い犬の散歩に出かける際には、この犬の糞取り具の二つの支分容器に予め袋部材を取り付けておく。袋部材は、各支分容器の内面に沿ってこれを配置し、その開口縁を該支分容器の開口部で外側に折返し、前記袋縁保持手段で保持しておく。
【００２５】
この犬の糞取り具は、前記伸縮支持管の小径支持管を大径支持管内に後退状態に押し込んで置くと、前記開閉操作手段が該伸縮支持管の小径支持管の下部に固定した支持フレームに構成してあるので、自ずとこれに結合している伸縮支持管内の伸縮操作管も、その小径操作管が大径操作管内に後退状態に押し込まれ、全体として短縮状態になる。また大径支持管内への小径支持管の最後退状態は仮固定される。従ってこの犬の糞取り具は、コンパクトな状態で携帯することができることになる。
【００２６】
犬が糞をした場合には、前記伸縮支持管の小径支持管をそれ以上引けなくなるところまで引っ張り出して進出状態にする。このようにすると、前記のような理由から、その内部の伸縮操作管の小径操作管も同時に大径操作管から最大限度引き出され最大進出状態となる。該伸縮支持管及び該伸縮操作管のこの状態も仮固定されることになる。
【００２７】
そこでこの状態で該伸縮支持管の大径支持管の後部付近や前記操作枠部を掴んで立ったままで開いた状態の二つの支分容器を糞の位置に近づけ、前記操作枠部内に位置する操作用グリップ部を後退方向に引き、該糞を該二つの支分容器中に取り込みながらこれらを閉じる。該操作用グリップ部の後退操作によって前記伸縮操作管の大径操作管が後退動作させられ、当然、これによって小径操作管が後退動作し、更にこれによって、前記のように、前記開閉操作手段が前記二つの支分容器にこれらを閉じる動作をさせることになる訳である。このとき、該伸縮操作管の最後退状態は前記ロック手段でロックされ、これを通じて該二つの支分容器の閉じた状態もロックされることになる。
【００２８】
従って、犬の散歩をしているこの犬の糞取り具の使用者は、そのまま特別の操作を継続することなく、二つの支分容器の閉じた状態を維持することができる。この状態の伸縮支持管の小径支持管を大径支持管内に押し込めば、これを短縮状態にすることができ、前記のように、これによって同時に伸縮操作管の小径操作管を大径操作管内に押し込み、全体として短縮状態にすることができる。前記のように、大径支持管内への小径支持管の後退状態は仮固定され、以上の全体としての短縮状態も仮固定されることになる。こうして糞を回収するとき以外はコンパクトな状態にして携帯することができる。
【００２９】
帰宅後は、前記ロック手段を解除して、伸縮操作管の進出を許容し、二つの支分容器を開くことができる。このとき、該二つの支分容器は一方を下に、他方を上に位置させて、それらを開状態にすると、その内部に入っている糞は、下方に位置する支分容器に入った状態になり、開いた途端に外部に落としてしまうような恐れは無くなる。この状態で、袋部材を、その開口縁を袋縁保持手段から外して支分容器から取り出せば、内部の糞を手を汚すこと無く取り出して処分することができる。また、当然に、二つの支分容器も糞で汚すことがない。
【００３０】
本発明の２の犬の糞取り具によれば、前記伸縮支持管及び前記伸縮操作管を容易に構成することができる。
【００３１】
本発明の３の犬の糞取り具によれば、二つの支分容器の開閉操作手段を、簡単な構成で実現することができる。
【００３２】
本発明の４の犬の糞取り具によれば、伸縮操作管の小径操作管の最後退状態を自動的かつ確実にロック可能であり、ロック解除も極めて簡単である。
【図面の簡単な説明】
【００３３】
【図１】(a)は一実施例の犬の糞取り具の伸長状態の正面図、(b)は短縮状態の正面図。
【図２】(a)は一実施例の犬の糞取り具の伸長状態の伸縮支持管及び伸縮操作管の縦断面図（各々の縮小テーパ状及び拡大テーパ状の構成は作図の都合上省略している。(b)も同じ。）、(b)は短縮状態の縦断面図。
【図３】(a)は一実施例の犬の糞取り具の支分容器を開いた状態の一部切欠拡大正面図、(b)は閉じた状態の一部切欠拡大正面図。
【図４】(a)は開いた状態の支分容器及び開閉操作手段の開動作状態を示す正面側の支持フレームを取り除いた状態の拡大正面図、(b)は閉じた状態の拡大正面図。
【図５】図１(a)のＡ−Ａ線拡大断面図。
【図６】(a)は図１(a)のＢ−Ｂ線拡大断面図、(b)はロック手段を構成した小径支持管及び小径操作管の下部付近の縦断面拡大図。
【発明を実施するための形態】
【００３４】
以下、発明を実施するための形態を実施例に基づき、かつ添付図を参照しつつ詳細に説明する。
【００３５】
この実施例の犬の糞取り具は、図１(a)、(b)〜図６(a)、(b)に示すように、大径支持管１ａ及びこれに内装した小径支持管１ｂからなる伸縮支持管１と、該伸縮支持管１中に配した大径操作管２ａ及びこれに内装した小径操作管２ｂからなる伸縮操作管２と、該伸縮支持管１の小径支持管１ｂの下部に介在片３、３…を介して取り付けた二枚の支持フレーム４、４と、糞取り用の二つの支分容器５、５と、該二つの支分容器５、５を開閉操作する開閉操作手段６と、前記二つの支分容器５、５を閉じる前記伸縮操作管２の最後退状態をロックするロック手段７と、前記伸縮操作管２の大径操作管２ａの上端に配した操作用グリップ部８と、前記伸縮支持管１の大径支持管１ａの上端に固設した操作枠部９と、で構成したものである。
【００３６】
前記伸縮支持管１は、特に図２(a)、(b)に示すように、前記大径支持管１ａの先端（下端）近傍の内径を先端に向かって小径になる縮小テーパ状に構成し、前記小径支持管１ｂの後端（上端）近傍の外径を後端に向かって大径になる拡大テーパ状に構成し、該大径支持管１ａに内装した該小径支持管１ｂを前方（下方）に引き出した場合に、前者の先端(下端)の縮小テーパ状の部分に後者の後端（上端）の拡大テーパ状の部分が係止して仮固定状態になるように構成したものである。
【００３７】
また図１(a)、(b)に示すように、前記小径支持管１ｂの上部途中の周側には、仮係止小突起１ｂｔを突出させておき、該小径支持管１ｂの最大後退状態、すなわち、該小径支持管１ｂを最大限度、該大径支持管１ａ内に押し込んだ状態で、該仮係止小突起１ｂｔが嵌合係止可能になるように、該大径支持管１ａの周側の、該仮係止小突起１ｂｔと内外対応する位置に仮係止孔１ａｈを開口しておく。該仮係止小突起１ｂｔは、以上のように、大径支持管１ａの仮係止孔１ａｈに嵌合係止可能な程度に小径支持管１ｂの周側から突出しているものであるが、該小径支持管１ｂを弾力性ある部材で構成しておくことにより、大径支持管１ａの仮係止孔１ａｈのない位置でもその内周に接触しながら移動可能になっている。大径支持管１ａの仮係止孔１ａｈと小径支持管１ｂの仮係止小突起１ｂｔの嵌合係止は、小径支持管１ｂを強く引くことにより外すことが可能である。
【００３８】
図２(a)、(b)に示すように、前記大径支持管１ａは、前記小径支持管１ｂより若干長い管体で構成してあり、該小径支持管１ｂが最大限度の後退状態になっている場合、すなわち、該大径支持管１ａ内に最大限度の進入状態になっている場合でも、該小径支持管１ｂの先端（下端）側は、該大径支持管１ａから突出状態となっており、前記のように、その下端は前記介在片３、３…を介して前記支持フレーム４、４を固設している。また該大径支持管１ａの後端（上端）は、前記のように、前記操作枠部９を固設した状態になっている。
【００３９】
また前記伸縮操作管２は、特に図２(a)、(b)に示すように、前記大径操作管２ａの先端（下端）近傍の内径を先端に向かって小径になる縮小テーパ状に構成し、前記小径操作管２ｂの後端近傍の外径を後端に向かって大径になる拡大テーパ状に構成し、該大径操作管２ａに内装した該小径操作管２ｂを前方（下方）に引き出した場合に、前者の先端（下端）の縮小テーパ状の部分に後者の後端（下端）の拡大テーパ状の部分が係止して仮固定状態になるように構成したものである。
【００４０】
図２(a)、(b)に示すように、前記大径操作管２ａは、前記小径操作管２ｂより若干長い管体で構成してあり、該小径操作管２ｂが最大限度の後退状態になっている場合、すなわち、該大径操作管２ａ内に最大限度の進入状態になっている場合でも、該小径操作管２ｂの先端（下端）側は、該大径操作管２ａから突出状態となっており、その下端は、後述するように、前記開閉操作手段６と結合状態になっている。また該大径操作管２ａの後端（上端）は、前記伸縮支持管１の大径支持管１ａの後端（上端）から上方に突出し、前記したように、前記操作用グリップ部８を固設している。
【００４１】
前記支持フレーム４、４は、前記し、図１(a)、(b)、図３(a)、(b)、図４(a)、(b)及び図５に示すように、前記介在片３、３…を介して前記伸縮支持管１の小径支持管１ｂの下部に固設してあるものである。
【００４２】
該介在片３、３…は、同図に示すように、それぞれ内側中央に該小径支持管１ｂの外径に対応する内径の半円弧状切欠を有する直方体状部材であり、該小径支持管１ｂの最下部直上及びその若干上方の部位に各一対のそれを挟持状態に配し、挟持状態の各々をボルト・ナットで固定したものである。この挟持は、特に図５に示すように、該介在片３、３の前記半円弧状切欠の部位を該小径支持管１ｂの上記該当する部位に両側から当接することで行うものであり、その状態を、上記のように、ボルト・ナットで固定保持するものである。
【００４３】
前記支持フレーム４、４は、図１(a)、(b)、図３(a)、(b)及び図４(a)、(b)に示すように、それぞれ中央部に略三角形の切欠を形成した略三角形の板状部材であり、前記小径支持管１ｂに、図１(a)、(b)、図３(a)、(b)、図４(a)、(b)及び図５に示すように、その上下二箇所に配した介在片３、３…を介して相互に平行になるように取り付ける。また中央上部に頂点が位置し、下部に水平辺が位置することになるように向きを設定する。このような支持フレーム４、４は、前記介在片３、３…を前記ボルト・ナットで固定保持する際に、同時に該介在片３、３…に固定保持する。頂点直下と両側の斜辺の途中で該ボルト・ナットで固定することになる。
【００４４】
前記二つの支分容器５、５は、図１(a)、(b)、図３(a)、(b)、図４(a)、(b)及び図５に示すように、この実施例では、有底の円筒状部材に構成したものであり、その胴部を環状の抱持部材５ａで抱えた構成である。これらの二つの支分容器５、５は、その軸心が、前記二枚の支持フレーム４、４の面と平行で、その面間の中央に位置する平行な仮装面内下方に位置するように位置決めする。また同図に示すように、該支分容器５、５の開口部縁に近接する胴部外周には、該支分容器５、５中に配した袋部材１０の開口縁を折返した場合に、その折り返した開口部縁を胴部外周との間に装入して仮保持させるためのバネ片（袋保持手段）５ｂ、５ｂ…を９０度の周方向の角度間隔で配しておく。
【００４５】
前記開閉操作手段６は、特に図３(a)、(b)、図４(a)、(b)及び図５に示すように、二つの支分容器５、５の胴部を抱える環状の抱持部材５ａ、５ａの上部側の一部から各々その軸心と直交する方向に延び、途中の屈曲部６ａｃ、６ａｃで内側に屈曲延長した略「く」の字形状の作動腕片６ａ、６ａと、該二つの作動腕片６ａ、６ａの上端を前記伸縮操作管２の小径操作管２ｂの下端に相互に対向する位置関係で回動自在にピン結合する先端ピン部材６ｂと、該二つの作動腕片６ａ、６ａの各屈曲部６ａｃ、６ａｃに固設した中間ピン部材６ｃ、６ｃであって、各々前記二枚の支持フレーム４、４に前記伸縮操作管２の伸縮方向に直交する向きに形成した長孔４ｈ、４ｈにスライド移動自在に挿入係止してなる二つの中間ピン部材６ｃ、６ｃと、前記小径操作管２の前記先端ピン部材６ｂを結合した部位の直上に配した鍔体２ｂｆ及び前記小径支持管１ｂの下端との間に該小径操作管２ｂを下降動作させるべく挿入した圧縮コイルバネ６ｄと、で構成したものである。
【００４６】
前記二枚の作動腕片６ａ、６ａは、特に図３(a)、(b)、図４(a)、(b)及び図５に示すように、前記支分容器５、５の軸心及び前記二つの支持フレーム４、４の位置する面と平行な面内に位置し、かつ前記のように、前記小径操作管２ｂの下端に、相互に対向する位置関係、すなわち、平行な位置関係で、前記先端ピン部材６ｂで回動自在に結合する。
【００４７】
前記中間ピン部材６ｃ、６ｃは、特に図３(a)、(b)、図４(a)、(b)及び図５に示すように、それぞれ対応する作動腕片６ａ、６ａの屈曲部６ａｃ、６ａｃにその途中を貫通状態で固設し、その両端を、各々二つの支持フレーム４、４の下部両側の頂点近傍に開口した横長の前記長孔４ｈ、４ｈ…に挿入する。この長孔４ｈ、４ｈ…は、前記小径操作管２ｂの最後退状態（最上昇状態）のときに、該中間ピン部材６ｃ、６ｃがそれぞれの内端に接し、前記二つの支分容器５、５の開口部が相互に当接状態となって閉じ、他方、該小径操作管２ｂの最進出状態（最下降状態）のときに、該中間ピン部材６ｃ、６ｃがそれぞれの外端に接し、前記二つの支分容器５、５の開口部が相互に離間状態となって開くようにその横長の寸法を設定する。勿論、これを越える長さであっても不都合ではない。
【００４８】
前記ロック手段７は、この実施例では、特に図６(b)に示すように、前記伸縮支持管１の小径支持管１ｂの下部にその長さ方向に直交する向きに固設した保護筒体７ａと、該保護筒体７ａの外端に配した中央に軸孔７ｂｈを開口した蓋体７ｂと、該蓋体７ｂの軸孔７ｂｈから該保護筒体７ａ内に挿入し、更にその内端を前記小径支持管１ｂの対応する部位に開口した内部軸孔１ｂｈを通じてその内部にまで挿入し、前記伸縮操作管２の最後退状態（最上昇状態）でその小径操作管２ｂの周側に開口したロック孔２ｂｈに挿入状態となるロック用軸体７ｃと、該ロック用軸体７ｃの途中に固設した鍔体７ｃｆ及び前記蓋体７ｂとの間に挿入し、該ロック用軸体７ｃの内端が前記伸縮操作管２の最後退状態（最上昇状態）でその小径操作管２ｂの周側のロック孔２ｂｈに挿入状態となるように付勢する圧縮コイルバネ７ｄと、前記ロック用軸体７ｃの外端に固設した操作用円板７ｅとで構成したものである。
【００４９】
前記保護筒体７ａは、図６(b)に示すように、その基部で前記小径支持管１ｂの下部周側（前記介在片３、３及び支持フレーム４、４の直上）に固設したものであり、前記内部軸孔１ｂｈは、該小径支持管１ｂの周側の、該保護筒体７ａの軸心に一致する部位に開口したものである。当然、前記ロック用軸体７ｃがスムーズに進退可能な口径とする。前記蓋体７ｂに開口する軸孔７ｂｈも同様である。
【００５０】
前記操作用グリップ部８は、図１(a)、(b)、図３(a)、(b)及び図６(a)に示すように、前記伸縮操作管２の大径操作管２ａの上端に、これと直交する向きに、すなわち、これとの間でＴ字状をなすように、その中央部を固設した棒状部材である。この実施例では、楕円管状の部材を用い、その中央部を、以上のように、大径操作管２ａの上端に固設して構成したものである。
【００５１】
前記操作枠部９は、図１(a)、(b)、図３(a)、(b)及び図６(a)に示すように、正面視で略四辺形の枠体であり、正面から背面に貫通状態に開口し、上下面は閉じ、左右側面は、内側が四辺形に開口している部材である。該操作枠部９は、同図に示すように、その下部中央を、前記伸縮支持管１の大径支持管１ａの上端部周側に固設したものであり、該大径支持管１ａの上端は、該操作枠部９の下部中央で内部に開口した状態になっている。該大径支持管１ａから該操作枠部９内に前記伸縮操作管２の大径操作管２ａの上部が突出しており、前記のように、その上端に前記操作用グリップ部８がＴ字状に固設してあり、操作可能になっている。
【００５２】
従ってこの実施例の犬の糞取り具によれば、飼い犬との散歩中などに犬が糞をした場合に、路面等に落ちた糞を腰をかがめたりすることなく、立った状態のままで容易にこれを回収して持ち帰ることができる。
【００５３】
飼い犬の散歩に出かける際には、この犬の糞取り具の二つの支分容器５、５に予め袋部材１０、１０を取り付けておく。図３(a)、(b)に示すように、袋部材１０は、各支分容器５、５の内面に沿ってこれを配置し、その開口縁を該各支分容器５、５の開口部で外側に折返し、前記バネ片（袋縁保持手段）５ｂ、５ｂ…と胴部との間に装入して保持させておく。
【００５４】
この犬の糞取り具は、前記伸縮支持管１の小径支持管１ｂを大径支持管１ａ内に最後退状態に押し込んで置くと、該小径支持管１ｂの周側の仮係止小突起１ｂｔが該大径支持管１ａの仮係止孔１ａｈに嵌合し仮係止状態となり、その短縮状態が仮保持される。また前記開閉操作手段６が該伸縮支持管１の小径支持管１ｂの下部に固定した支持フレーム４、４に中間ピン部材６ｃ、６ｃ及び長孔４ｈ、４ｈ…を介して係止しているので、上記のように、該小径支持管１ｂを該大径支持管１ａ内に最後退状態に押し込むと、自ずと、その作動腕片６ａ、６ａに先端ピン部材６ｂを介して結合している伸縮支持管１内の伸縮操作管２も、その小径操作管２ｂが大径操作管２ａ内に後退状態に押し込まれ、全体として短縮状態になる。従ってこの犬の糞取り具は、コンパクトな状態で携帯することができることになる。
【００５５】
犬が糞をした場合には、前記伸縮支持管１の小径支持管１ｂをそれ以上引けなくなるところまで引っ張り出して進出状態にする。前記のように、小径支持管１ｂの周側の仮係止小突起１ｂｔと大径支持管１ａの仮係止孔１ａｈとの嵌合仮係止は、該小径支持管１ｂを強く引けば解除することができる。このように小径支持管１ｂを引き出すと、前記のような理由から、その内部の伸縮操作管２の小径操作管２ｂも同時に大径操作管２ａから引き出され進出状態となる。これで、最大引出状態になることもあるが、そうでない場合は、小径操作管２ｂの下部を掴んで引き出せば、容易に最大引出状態にすることができる。該伸縮支持管１及び該伸縮操作管２のこの状態は、大径支持管１ａの下端の縮小テーパ状の部分に小径支持管１ｂの上端の拡大テーパ状の部分が係止し、該伸縮操作管２の大径操作管２ａの下端の縮小テーパ状の部分に小径操作管２ｂの上端の拡大テーパ状の部分が係止して、それぞれ仮固定されることになる。
【００５６】
そこでこの状態で該伸縮支持管１の大径支持管１ａの後部（上部）付近や前記操作枠部９を掴んで立ったまま、開いた状態の二つの支分容器５、５の間を糞の位置に近づけ、前記操作枠部９内に位置する操作用グリップ部８を後退方向（上昇方向）に引き、該糞を該二つの支分容器５、５中に取り込みながらこれらを閉じる。該操作用グリップ部８の後退（上昇）操作によって前記伸縮操作管２の大径操作管２ａが後退（上昇）動作させられ、当然、これによって小径操作管２ｂが後退（上昇）動作し、更にこれによって、前記のように、前記開閉操作手段６の作動腕片６ａ、６ａの各先端（上端）が引き上げられ、図１(a)、(b)、図３(a)及び図４(a)に示すように、開いていた支分容器５、５は、図３(b)及び図４(b)に示すように、該作動腕片６ａ、６ａの屈曲部６ａｃ、６ａｃの内方への移動と共に、その開口部相互が当接状態になり、閉じることになる。この時点では、該屈曲部６ａｃ、６ａｃに固設してある中間ピン部材６ｃ、６ｃは、前記支持フレーム４、４の長孔４ｈ、４ｈ…の内端に接する位置に位置し、伸縮操作管２も最後退状態、すなわち、最上昇状態になってその小径操作管２ｂのロック孔２ｂｈに前記ロック手段７のロック用軸体７ｃが自動的に挿入してロック状態になる。これを通じて該二つの支分容器５、５の閉じた状態もロックされることになる。
【００５７】
従って、犬と散歩をしているこの犬の糞取り具の操作者は、そのまま特別の操作を継続することなく、二つの支分容器５、５の閉じた状態を維持することができる。この状態の伸縮支持管１の小径支持管１ｂを大径支持管１ａ内に押し込めば、これを短縮状態にすることができ、この短縮状態は、大径支持管１ａの仮係止孔１ａｈに押し込まれた小径支持管１ｂの仮係止小突起１ｂｔが係止することによって仮固定される。また以上の小径支持管１ｂの押し込み動作によって同時に伸縮操作管２の小径操作管２ｂも大径操作管２ａ内に押し込まれ、全体として短縮状態になる。これは、前記のように、小径操作管２ｂのロック孔２ｂｈにロック用軸体７ｃが挿入状態になっており、該小径操作管２ｂは小径支持管１ｂの動きに完全に追随するようになっているためであり、更にこれによって前記二つの支分容器５、５の閉じた状態が維持されつつ行われるものでもある。こうしてこの犬の糞取り具は糞を回収するとき以外はコンパクトな状態にして携帯することができる。
【００５８】
帰宅後は、操作用円板７ｅを掴んで外方に引き、前記伸縮操作管２の小径操作管２ｂのロック孔２ｂｈからロック用軸体７ｃを抜くと、ロック解除状態になり、該伸縮操作管２の小径操作管２ｂは、前記圧縮コイルバネ６ｄの作用により、進出し（下降動作し）、図３(a)及び図４(a)に示すように、二つの支分容器５、５を開くことになる。このとき、該二つの支分容器５、５は一方を下に、他方を上に位置させて、それらを開状態にすることにより、その内部に入っている糞を、下方に位置する支分容器５に入った状態にし、開いた途端に外部に落としてしまうような恐れをなくすることができる。この状態で、袋部材１０を、その開口縁を前記バネ片５ｂ、５ｂ…から引き抜き外して支分容器５、５から取り出せば、内部の糞で手を汚すことなく取り出して処分することができる。また、当然に、二つの支分容器５、５自体も糞で汚すことがない。
【符号の説明】
【００５９】
１    伸縮支持管
１ａ  大径支持管
１ａｈ  仮係止孔
１ｂ  小径支持管
１ｂｈ  内部軸孔
１ｂｔ  仮係止小突起
２    伸縮操作管
２ａ  大径操作管
２ｂ  小径操作管
２ｂｆ  鍔体
２ｂｈ  ロック孔
３    介在片
４    支持フレーム
４ｈ  長孔
５    支分容器
５ａ  抱持部材
５ｂ  バネ片
６    開閉操作手段
６ａ  作動腕片
６ａｃ  屈曲部
６ｂ  先端ピン部材
６ｃ  中間ピン部材
６ｄ  圧縮コイルバネ
７    ロック手段
７ａ  保護筒体
７ｂ  蓋体
７ｂｈ  軸孔
７ｃ  ロック用軸体
７ｃｆ  鍔体
７ｄ  圧縮コイルバネ
７ｅ  操作用円板
８    操作用グリップ部
９    操作枠部
１０  袋部材
【図１】
2014073085.tif 000003
【図２】
2014073085.tif 000004
【図３】
2014073085.tif 000005
【図４】
2014073085.tif 000006
【図５】
2014073085.tif 000007
【図６】
2014073085.tif 000008